Podtech/llm-jp-corpus-v4-ja_patent huggingface dataset:
【手続補正書】
【提出日】平成30年7月4日(2018.7.4)
【手続補正１】
【補正対象書類名】特許請求の範囲
【補正対象項目名】全文
【補正方法】変更
【補正の内容】
【特許請求の範囲】
【請求項１】
患者の心房中隔内への移植のための装置であって、
中央開口を取り囲む複数のコア要素を有するコア領域と、
前記コア要素から延在する複数の遠位保持要素を有する遠位保持領域と、
前記コア要素から延在する複数の近位保持要素を有する近位保持領域と、
前記近位保持要素から延在する複数の撤回部材を有する撤回領域と、
を備え、
前記コア領域は、前記心房中隔の開口内に配置されるように適合ないし構成されており、
前記遠位保持要素は、前記隔壁の左心房側の組織に係合するように適合されており、
前記近位保持要素は、前記隔壁の右心房側の組織に係合するように適合されており、
各撤回部材は、近位端部にコネクタを有しており、
前記コネクタは、供給システムに接続するように適合されており、
当該装置は、供給形態と配置形態とを備えており、
前記コア領域、前記遠位保持領域及び前記近位保持領域は、各々、前記供給形態において前記配置形態よりも小さい直径を有しており、
前記撤回部材の前記コネクタは、前記配置形態において、前記開口に対して近位であって径方向外側に配置されている
ことを特徴とする装置。
【請求項２】
前記コネクタは、前記配置形態においてよりも、前記供給形態において、より径方向内側に配置されている
ことを特徴とする請求項１に記載の装置。
【請求項３】
前記撤回領域は、２つの撤回部材を有している
ことを特徴とする請求項１に記載の装置。
【請求項４】
前記撤回領域は、４つの撤回部材を有している
ことを特徴とする請求項１に記載の装置。
【請求項５】
前記コネクタは、孔（ｅｙｅｌｅｔ）を有している
ことを特徴とする請求項１に記載の装置。
【請求項６】
前記コネクタは、前記配置形態において、前記撤回部材の端部から径方向内方に延在している
ことを特徴とする請求項１に記載の装置。
【請求項７】
前記コネクタは、前記配置形態において、前記撤回部材の端部から先端方向に延在している
ことを特徴とする請求項１に記載の装置。
【請求項８】
当該装置は、撤回形態を更に備えており、
前記撤回形態において、前記コネクタは、前記配置形態時の位置から径方向内方に位置し、前記近位保持要素及び前記遠位保持要素は、各々、前記配置形態におけるのと略同じ位置にある
ことを特徴とする請求項１に記載の装置。
【請求項９】
前記撤回部材は、前記撤回形態においてよりも、前記供給形態において、前記近位保持領域から更に近位に延在している
ことを特徴とする請求項８に記載の装置。
【手続補正書】
【提出日】平成30年3月9日(2018.3.9)
【手続補正１】
【補正対象書類名】特許請求の範囲
【補正対象項目名】全文
【補正方法】変更
【補正の内容】
【特許請求の範囲】
【請求項１】
自動車内の機能を手動で作動及び／または起動させるための制御要素であって、ニュートラル位置から少なくとも１方向（４，５）に調整できるように、支持部（３）に搭載される把手（２）を有し、更には、前記把手（２）と協働する圧力要素（８）であって、ゲート（９）のゲート経路（１０）において案内され、弾性力を受ける圧力要素（８）を有する、制御要素において、
カム（１４）が前記ゲート（９）内に配置されており、前記カム（１４）は、前記ゲート（９）内で前記把手（２）にテンションが付与されるように、前記把手（２）に作用して、前記把手（２）の動きの遊びを減らすことを特徴とする制御要素。
【請求項２】
請求項１に記載の制御要素であって、前記把手（２）が調整された時に前記ニュートラル位置の方向に復元力が前記把手（２）に対して作用することを特徴とする制御要素。
【請求項３】
請求項１または２に記載の制御要素であって、前記カム（１４）が、移動方向に、及び／または調整位置に向かう方向に前記把手（２）にテンションが付与されるように、ニュートラル位置にある前記把手（２）に作用して前記動きの遊びを減らすことを特徴とする制御要素。
【請求項４】
請求項１，２または３に記載の制御要素であって、前記把手（２）は、第１及び／または第２枢動軸を中心に、第１及び／または第２枢動方向（４，５）に調整可能であることを特徴とする制御要素。
【請求項５】
請求項１から４のいずれか１項に記載の制御要素であって、ハウジング（１６）が設けられており、前記把手（２）が前記支持部（３）内に枢設されているギアシフトシャフト（１２）を備え、前記ギアシフトシャフト（１２）が、使用者による前記把手（２）の手動操作のために、前記ハウジング（１６）から突出していることを特徴とする制御要素。
【請求項６】
請求項１から５のいずれか１項に記載の制御要素であって、前記把手（２）は、前記支持部（３）内に枢設されているギアシフトシャフト（１２）を備え、前記把手（２）の前記支持部（３）は、ユニバーサルジョイント及び／またはカルダンジョイントとして構成されていることを特徴とする制御要素。
【請求項７】
請求項６に記載の制御要素であって、前記ギアシフトシャフト（１２）が、前記ユニバーサルジョイント及び／またはカルダンジョイント（３）に軸受ピン（６）を用いて可動搭載されていることを特徴とする制御要素。
【請求項８】
請求項７に記載の制御要素であって、前記ユニバーサルジョイント及び／またはカルダンジョイント（３）が、ハウジング内に、ジャーナル及び／または軸受胴を用いて可動搭載されていることを特徴とする制御要素。
【請求項９】
請求項７または８に記載の制御要素であって、前記軸受ピン（６）の支持点、及び／または、前記ユニバーサルジョイント及び／またはカルダンジョイント（３）の支持点が更に、すきま嵌めとして設計されていることを特徴とする制御要素。
【請求項１０】
請求項５から９のいずれか１項に記載の制御要素であって、弾性力を働かせる弾性要素（１１）及び前記圧力要素（８）の案内ダクト（１３）が前記ギアシフトシャフト（１２）に配置されていることを特徴とする制御要素。
【請求項１１】
請求項１０に記載の制御要素であって、前記弾性要素（１１）が加圧バネからなることを特徴とする制御要素。
【請求項１２】
請求項１から１１のいずれか１項に記載の制御要素であって、前記カム（１４）は、前記ゲート（９）のゲート壁（１５）上に配置されていることを特徴とする制御要素。
【請求項１３】
請求項１２に記載の制御要素であって、前記カム（１４）は、前記ゲート経路（１０）と向き合うゲート壁上に配置されていることを特徴とする制御要素。
【請求項１４】
請求項１３に記載の制御要素であって、前記ゲート経路（１０）が、前記把手（２）の移動に対する触覚を生成するために３Ｄ（三次元）形状であることを特徴とする制御要素。
【請求項１５】
請求項１から１４のいずれか１項に記載の制御要素であって、移動及び／または調整位置を記録する手段が設けられていることを特徴とする制御要素。
【請求項１６】
請求項１５に記載の制御要素であって、前記移動及び／または調整位置を記録する手段は、調整及び／または調整位置を符号化する符号キャリア（１７）と、前記符号化を判定するセンサと、を備えることを特徴とする制御要素。
【請求項１７】
請求項１６に記載の制御要素であって、前記移動及び／または調整位置を記録する手段は、複数の調整位置がある場合に全ての調整位置を１つの前記符号キャリア（１７）を用いて記録可能であるように構成されることを特徴とする制御要素。
【請求項１８】
請求項１６または１７に記載の制御要素であって、前記符号キャリア（１７）は、磁気符号板で構成され、前記センサは、磁気センサで構成されていることを特徴とする制御要素。
【請求項１９】
請求項１８に記載の制御要素であって、前記センサは、前記符号キャリア（１７）が変位すると信号反転が起こる複数のホールセンサで構成されていることを特徴とする制御要素。
【請求項２０】
請求項１９に記載の制御要素であって、前記符号キャリア（１７）がギアシフトシャフト（１２）上に案内部材（１８）を用いて搭載され、前記ホールセンサがハウジング（１６）内に搭載されたプリント回路基板（１９）に取り付けられていることを特徴とする制御要素。
【手続補正書】
【提出日】平成30年4月5日(2018.4.5)
【手続補正１】
【補正対象書類名】特許請求の範囲
【補正対象項目名】全文
【補正方法】変更
【補正の内容】
【特許請求の範囲】
【請求項１】
ユーザーグループの各メンバーが選択したコンテンツをユーザーグループの他のメンバーにブロードキャスティングすることを可能にするソーシャルブロードキャスティング・システムであって、このソーシャルブロードキャスティングシステムは、前記ユーザーグループの各メンバー間のメディアコンテンツをリアルタイムに同期する同期手段と、コンテンツブロードキャスト手段とを併用し、前記同期/コンテンツブロードキャスト手段が、それぞれが少なくとも２つのコンテンツソースと交信するメンバークライアントのグループ間において協働可能であり、これら少なくとも２つのコンテンツソースがそれぞれ、同じコンテンツに対して少なくとも２つの合法的なアクセスポイントを与える個別の合法的なアクセスポイントを特徴とし、前記同期手段が、選択コンテンツを確認する手段および各メンバークライアントに対して最適な選択コンテンツリソース位置からの前記の選択コンテンツの配信を転送する配信転送手段を有し、前記の最適な選択データリソース位置それぞれが前記の少なくとも２つのコンテンツソースから選択され、前記選択をユーザー規定パラメーターに基づいて行い、前記コンテンツブロードキャスト手段が前記配信転送手段を促して、前記ユーザーグループのコンテンツ発信メンバーから前記選択コンテンツを前記ユーザーグループの各メンバーに配信し、これによって前記ユーザーグループの前記メンバーが前記コンテンツ発信メンバーから発信され、かつ前記ユーザーグループ内の前記の最適な選択コンテンツリソース位置から受信された前記選択コンテンツに同時にアクセスでき、ソーシャル対話のコンテンツベースプラットフォームを構築することを特徴とするソーシャルブロードキャスティング・システム。
【請求項２】
前記の少なくとも２つのコンテンツソースが、少なくとも一つの間接コンテンツおよび直接コンテンツソースを有する請求項１に記載のソーシャルブロードキャスティング・システム。
【請求項３】
ダイアログプラットフォームを有し、このダイアログプラットフォームが、前記ユーザーグループの各メンバーが少なくとも前記選択コンテンツに関してリアルタイムなダイアログに関与することを可能にする請求項１に記載のソーシャルブロードキャスティング・システム。
【請求項４】
前記ダイアログプラットフォームがライブオーディオをオーバーレイして、前記ユーザーグループの各メンバーが少なくとも前記選択コンテンツに関してリアルタイムに口頭会話することを可能にする請求項３に記載のソーシャルブロードキャスティング・システム。
【請求項５】
前記システムを起動するシステム起動手段を有する請求項１に記載のソーシャルブロードキャスティング・システム。
【請求項６】
前記システム起動手段が、デバイス再配向によって動作可能になる請求項５に記載のソーシャルブロードキャスティング・システム。
【請求項７】
前記システム起動手段が、乗り物の選択ボタンベース手段によって動作可能になる請求項５に記載のソーシャルブロードキャスティング・システム。
【請求項８】
前記の乗り物の選択ボタンベース手段が、手動手段および足動手段からなる群から選択される請求項７に記載のソーシャルブロードキャスティング・システム。
【請求項９】
少なくとも２つの合法的なアクセスポイントと交信するデータルーティング管理手段を有し、一次の合法的なアクセスポイントまたは少なくとも一つの二次の合法的なアクセスポイントのいずれかから配信されるさいに、（ａ）工業権管理、（ｂ）コンプライアンスモニタリングおよび/または（ｃ）コンテンツ配信のコンプライアンスレポーティングを実施する請求項２に記載のソーシャルブロードキャスティング・システム。
【請求項１０】
前記ユーザーグループの各メンバーがコンテンツ配信を協調管理することを可能にするグループストリーミング・システムを有する請求項１に記載のソーシャルブロードキャスティング・システム。
【請求項１１】
前記グループストリーミング・システムが、ユーザー個別のコンテンツの好みを収集する手段、および前記のユーザー個別のコンテンツの好みに基づいてグループ管理プロファイルを編集する手段を有する請求項１０に記載のソーシャルブロードキャスティング・システム。
【請求項１２】
前記グループ管理プロファイルを個別に変更して、前記ユーザーグループへのコンテンツ配信を最適化する手段を有する請求項１１に記載のソーシャルブロードキャスティング・システム。
【請求項１３】
前記ユーザーグループの前記メンバーが地理的な配分ゾーン内のブロードキャストストリームによってグループ分けされている請求項１に記載のソーシャルブロードキャスティング・システム。
【請求項１４】
前記地理的な配分ゾーンの地理的な境界を確認して、前記地理的な配分ゾーン内にストリーミング/デジタルマーケットプレイスを構築する高周波発振ノードを利用する請求項１３に記載のソーシャルブロードキャスティング・システム。
【請求項１５】
地理的な位置によって前記の地理的な配分ゾーンを規定して、前記の地理的な位置内にストリーミング/デジタル仮想店頭を構築する請求項１４に記載のソーシャルブロードキャスティング・システム。
【手続補正書】
【提出日】平成30年6月26日(2018.6.26)
【手続補正１】
【補正対象書類名】特許請求の範囲
【補正対象項目名】全文
【補正方法】変更
【補正の内容】
【特許請求の範囲】
【請求項１】
指紋センサアセンブリであって、
コントローラと、
前記コントローラに電気的に結合されるように構成された金属層と、
前記金属層および前記コントローラに電気的に接続された送信層と、
導電材料で充填されたか、またはコーティングされた少なくとも１つのガラス貫通ビアを含むセンサガラス層であって、前記送信層が前記センサガラス層の第１の面に配置され、前記送信層が前記少なくとも１つのガラス貫通ビアに電気的に結合されるセンサガラス層と、
前記センサガラス層の第２の面に配置された受信層であって、前記少なくとも１つのガラス貫通ビアに電気的に結合される受信層と、
前記受信層の上に配置された保護カバー層と
を備える指紋センサアセンブリ。
【請求項２】
前記保護カバー層は、酸化アルミニウム、または単結晶サファイア層、または炭化ケイ素、またはダイヤモンドを含む、請求項１に記載の指紋センサアセンブリ。
【請求項３】
前記酸化アルミニウムの厚さが約１μｍである、請求項２に記載の指紋センサアセンブリ。
【請求項４】
前記単結晶サファイア層の厚さが約１００μｍと２００μｍとの間である、請求項２に記載の指紋センサアセンブリ。
【請求項５】
前記受信層または前記送信層のうちの少なくとも１つが酸化インジウムスズを含む、請求項１に記載の指紋センサアセンブリ。
【請求項６】
前記少なくとも１つのガラス貫通ビアが、前記センサガラス層の前記第１の面から前記センサガラス層の前記第２の面まで延在する金属充填ブラインドビアを含み、前記金属充填ブラインドビアが、前記送信層と前記受信層との間に容量結合を提供するように構成される、請求項１に記載の指紋センサアセンブリ。
【請求項７】
高分解能電界センサを有するカバーガラスアセンブリであって、
金属層によってコントローラに電気的に接続された送信層と、
導電材料で充填されたか、またはコーティングされた少なくとも１つのガラス貫通ビアを含むセンサガラス層であって、前記送信層が前記センサガラス層の第１の面に配置され、かつ、前記少なくとも１つのガラス貫通ビアに電気的に結合されるセンサガラス層と、
前記センサガラス層の第２の面に配置された受信層であって、前記少なくとも１つのガラス貫通ビアに電気的に結合される受信層と、
前記受信層の上に配置された保護カバー層と
を備え、前記カバーガラスアセンブリがタッチパネルデバイスを含むように構成されるカバーガラスアセンブリ。
【請求項８】
前記コントローラが指紋を画像化するように構成される、請求項７に記載のカバーガラスアセンブリ。
【請求項９】
前記コントローラがユーザの接触を画像化するように構成される、請求項７に記載のカバーガラスアセンブリ。
【請求項１０】
前記保護カバー層は、酸化アルミニウム、または単結晶サファイア層、または炭化ケイ素、またはダイヤモンドを含む、請求項７に記載のカバーガラスアセンブリ。
【請求項１１】
前記酸化アルミニウムの厚さが約１μｍである、請求項１０に記載のカバーガラスアセンブリ。
【請求項１２】
前記単結晶サファイア層の厚さが約１００μｍと２００μｍとの間である、請求項１０に記載のカバーガラスアセンブリ。
【請求項１３】
指紋感知モバイルデバイスであって、
モバイルデバイスのために構成されたディスプレイアセンブリと、
金属層によってコントローラに電気的に接続された送信層であって、前記コントローラが前記ディスプレイアセンブリに電気的に結合される送信層と、
導電材料で充填されたか、またはコーティングされた少なくとも１つのガラス貫通ビアを含むセンサガラス層であって、前記送信層が前記センサガラス層の第１の面に配置され、かつ、前記少なくとも１つのガラス貫通ビアに電気的に結合されるセンサガラス層と、
前記センサガラス層の第２の面に配置された受信層であって、前記少なくとも１つのガラス貫通ビアに電気的に結合される受信層と、
前記受信層の上に配置された保護カバー層と
を備える指紋感知モバイルデバイス。
【請求項１４】
前記ディスプレイアセンブリが液晶ディスプレイを含む、請求項１３に記載の指紋感知モバイルデバイス。
【手続補正書】
【提出日】平成30年3月13日(2018.3.13)
【手続補正１】
【補正対象書類名】特許請求の範囲
【補正対象項目名】全文
【補正方法】変更
【補正の内容】
【特許請求の範囲】
【請求項１】
複数の光源と、
目から反射されるような前記光源からの光の画像を捕捉するように構成されるカメラと、
論理デバイスと、
記憶デバイスであって、
光源の異なる組み合わせからの光を反復して投射し、前記目の画像を、各々の組み合わせの投射の間に捕捉することにより、目追跡データのフレームを取得することと、
前記画像内の一つ又は複数の飽和領域を検出することにより前記画像内の遮蔽を決定することと、各々の飽和領域ごとに境界ボックスを決定することと、前記飽和領域のパラメータが条件を満たす場合に、境界ボックス内の飽和領域をグレアとして分類することと、
目追跡に対する光源の選択された組み合わせを、前記目と前記カメラとの間に定置される透明または半透明の光学構造から生起する、前記画像内で検出される遮蔽の前記決定に基づいて選択することと、
目追跡に対する光源の前記選択された組み合わせによって光を投射することと
を行うために、前記論理デバイスにより実行可能な命令を記憶する、記憶デバイスと
を備える、目追跡システム。
【請求項２】
光源の異なる組み合わせからの光を反復して投射することが、光源の前記異なる組み合わせからの光を、１つまたは複数の組み合わせの各々に対する予測される遮蔽に基づく順序で、反復して投射することを含む、請求項１に記載の目追跡システム。
【請求項３】
頭部姿勢を検出し、光源のどの組み合わせが、遮蔽の最も低い量を生み出すことになるかの推定を前記頭部姿勢に基づいて決定することをさらに含む、請求項２に記載の目追跡システム。
【請求項４】
画像内の飽和点をグレアとして指定し、前記グレアを、光源の第１の組み合わせにおいて選択された光源とマッチングすることを、前記選択された光源を含まない光源の第２の異なる組み合わせの投射の間に捕捉される次の画像内に、前記グレアが存在するかどうかの決定に基づいて行うことをさらに含む、請求項１に記載の目追跡システム。
【請求項５】
光源の異なる組み合わせからの光を反復して投射することが、前記複数の光源のすべてからの光を第１の反復の間に投射し、前記複数の光源の１つまたは複数のサブセットからの光を、１つまたは複数の他の反復の間に投射することを含む、請求項１に記載の目追跡システム。
【請求項６】
前記複数の光源の１つまたは複数が、互いとは異なって方位設定され、光源の異なる組み合わせからの光を反復して投射することが、方位の異なる組み合わせを有する、光源の異なる組み合わせからの光を反復して投射することを含む、請求項１に記載の目追跡システム。
【請求項７】
目の動き追跡方法であって、
光源の異なる組み合わせからの光を反復して投射し、前記目の画像を、各々の組み合わせの投射の間に捕捉することにより、目追跡データのフレームを取得することと、
前記画像内の一つ又は複数の飽和領域を検出することにより前記画像内の遮蔽の量を決定することと、各々の飽和領域ごとに境界ボックスを決定することと、前記飽和領域のパラメータがしきい値条件を満たす場合に、境界ボックス内の飽和領域をグレアとして分類することと、
目追跡に対する光源の選択された組み合わせを、前記目とカメラとの間に定置される透明または半透明の光学構造から生起する、前記画像内で検出される遮蔽の前記量に基づいて選択することと、
目追跡に対する光源の前記選択された組み合わせによって光を投射することと
を含む、目追跡方法。
【請求項８】
各々の飽和領域に対する境界ボックスを決定することが、前記境界ボックスのサイズを、前記境界ボックス内の飽和画素のパーセンテージがしきい値境界ボックス条件を満たすまで増大することを含む、請求項７に記載の方法。
【請求項９】
前記画像に対する前景距離変換を遂行し、距離しきい値未満である距離値を有する前記画像内の輪郭を除去して、前記飽和領域のコアを検出することをさらに含む、請求項８に記載の方法。
【請求項１０】
前記距離しきい値、前記しきい値境界ボックス条件、および前記しきい値統計分布適合条件の１つまたは複数が、学習アルゴリズムによって決定される、請求項９に記載の方法。
【手続補正書】
【提出日】平成30年6月1日(2018.6.1)
【手続補正１】
【補正対象書類名】特許請求の範囲
【補正対象項目名】全文
【補正方法】変更
【補正の内容】
【特許請求の範囲】
【請求項１】
少なくとも１つのフレームの記録を支援するためのアシスタンステンプレートを提供された少なくとも１つのフレームを備えることを特徴とするモデルであって、前記アシスタンステンプレートが、少なくとも１つのアシスタンストレーシングと、持続時間、焦点距離、動き、光、コントラスト、フレーミングフォーマット、ボックス配向フォーマット、及び画像フォーマットから選択された前記フレームの特徴を表す少なくとも１つの要素とを備える、モデル。
【請求項２】
前記アシスタンステンプレートが、少なくとも１つのアシスタンストレーシングと、持続時間を表す１つの要素と、ボックス配向フォーマットを表す１つの要素とを備えることを特徴とする、請求項１に記載のモデル。
【請求項３】
前記アシスタンステンプレートが、少なくとも１つのアシスタンストレーシングと、持続時間、水平又は垂直ボックス配向フォーマット、及び画像フォーマットを表す要素とを備えることを特徴とする、請求項１又は請求項２に記載のモデル。
【請求項４】
前記アシスタンステンプレートが、少なくとも１つのアシスタンストレーシングと、持続時間、焦点距離、動き、光、コントラスト、フレーミングフォーマット、ボックス配向フォーマット、及び画像フォーマットを表す要素とを備えることを特徴とする、請求項１乃至３のいずれか一項に記載のモデル。
【請求項５】
前記モデルが少なくとも１つのシーケンスを備え、前記シーケンスが、前記記録を支援するための前記アシスタンステンプレートを提供された少なくとも１つのフレームを備えることを特徴とする、請求項１乃至４のいずれか一項に記載のモデル。
【請求項６】
前記記録を支援するための前記アシスタンステンプレートが、前記フレームをフレームワークに組み込むことができるために必要とされる特徴を備え、前記フレームワークが、前記モデルに含まれるフレーム及び／又はシーケンスが存在しない、フィルム又は一連の画像又は１つの画像であることを特徴とする、請求項１乃至５のいずれか一項に記載のモデル。
【請求項７】
請求項１乃至６のいずれか一項に記載のモデルを備えることを特徴とするビデオフィルム。
【請求項８】
請求項１乃至６のいずれか一項に記載のモデルを備えることを特徴とする一連の画像。
【請求項９】
コミックストリップであることを特徴とする請求項８に記載の一連の画像。
【請求項１０】
請求項１乃至６のいずれか一項に記載のモデルを備えることを特徴とする画像。
【請求項１１】
少なくとも１つのフレームを備える一連の画像又は１つの画像であって、前記フレームが請求項７に記載のフィルムから抽出されることを特徴とする、画像。
【手続補正書】
【提出日】平成30年7月10日(2018.7.10)
【手続補正１】
【補正対象書類名】特許請求の範囲
【補正対象項目名】全文
【補正方法】変更
【補正の内容】
【特許請求の範囲】
【請求項１】
酸化セリウムナノ粒子（ＣＯＮＰ）の有効な用量を含む、放射線及び化学療法剤の治療的に有効な用量と組み合わせて、がんを治療するための医薬。
【請求項２】
ＣＯＮＰの有効な用量並びに放射線及び化学療法剤の治療的に有効な用量が、組み合わせて投与される、がんを治療するための医薬。
【請求項３】
ＣＯＮＰの有効な用量が、ＣＯＮＰの非存在下での放射線及び／又は化学療法剤の治療的に有効な用量と比較して、放射線及び／又は化学療法剤の治療的に有効な用量を低下させる用量である、請求項１又は２に記載の医薬。
【請求項４】
放射線及び／又は化学療法剤の用量が、（ｉ）ＣＯＮＰの非存在下で現行の標準治療において用いられる用量又は（ｉｉ）ＣＯＮＰの非存在下で腫瘍を治療するための有効量のいずれかの、約１％から９０％の間、約１％から８０％の間、約１％から７０％の間、約１％から６０％の間、約１％から５０％の間、約１％から４０％の間、約１％から３０％の間、約１％から２０％の間、又は約１％から１０％の間である、請求項１又は２に記載の医薬。
【請求項５】
ＣＯＮＰ及び／又は化学療法剤が投与される後に、放射線が投与される、請求項１又は２に記載の医薬。
【請求項６】
ＣＯＮＰ及び／又は化学療法剤が投与される前に、放射線が投与される、請求項１又は２に記載の医薬。
【請求項７】
ＣＯＮＰ及び／又は放射線が投与される前に、化学療法剤が投与される、請求項１又は２に記載の医薬。
【請求項８】
ＣＯＮＰ及び／又は放射線が投与されるのと同時に、化学療法剤が投与される、請求項１又は２に記載の医薬。
【請求項９】
ＣＯＮＰ及び／又は放射線が投与される後に、化学療法剤が投与される、請求項１又は２に記載の医薬。
【請求項１０】
ＣＯＮＰが、約１ナノメートルから約２０ナノメートルの間、約３ナノメートルから約１５ナノメートルの間、約３ナノメートルから約１０ナノメートルの間、又は約３ナノメートルから約５ナノメートルの間の粒径を有する、請求項１又は２に記載の医薬。
【請求項１１】
ＣＯＮＰの有効な用量が、患者体重１キログラム当たり約１ナノグラムから患者体重１キログラム当たり約５０ミリグラムの間、患者体重１キログラム当たり約１ナノグラムから患者体重１キログラム当たり約５ミリグラムの間、患者体重１キログラム当たり約１ナノグラムから患者体重１キログラム当たり約０．５ミリグラムの間、患者体重１キログラム当たり約１０ナノグラムから患者体重１キログラム当たり約０．５ミリグラムの間、患者体重１キログラム当たり約２０ナノグラムから患者体重１キログラム当たり約１００マイクログラムの間、又は患者体重１キログラム当たり約１０ナノグラムから患者体重１キログラム当たり約１０マイクログラムの間である、請求項１又は２に記載の医薬。
【請求項１２】
ＣＯＮＰが、ＣＯＮＰと薬学的に許容可能な担体とを含む組成物の形態で提供される、請求項１又は２に記載の医薬であって、組成物が、局所、経口、非経口、頬側、舌下、経鼻、直腸、パッチ、ポンプ又は経皮投与によって投与され得る医薬。
【請求項１３】
組成物が、局所組成物である、請求項１２に記載の医薬。
【請求項１４】
局所組成物が、ＣＯＮＰ、界面活性剤、油及び水を含む、請求項１３に記載の医薬。
【請求項１５】
組成物がマイクロエマルジョンである、請求項１２に記載の医薬。
【請求項１６】
投与後の患者の血漿中のＣＯＮＰの全濃度が、約５ナノモル濃度から約２００マイクロモル濃度の間、約１０ナノモル濃度から約１００マイクロモル濃度の間、又は約２０ナノモル濃度から約１０マイクロモル濃度の間である、請求項１又は２に記載の医薬。
【請求項１７】
化学療法剤が、プロドラッグである、請求項１又は２に記載の医薬。
【請求項１８】
ＣＯＮＰの有効な用量を含む、がん治療を受けている患者に投与される放射線及び／又は少なくとも１つの化学療法剤の毒性を低減するための医薬。
【請求項１９】
ＣＯＮＰの有効な用量並びに放射線及び少なくとも１つの化学療法剤の用量が、組み合わせて投与される、がん治療を受けている患者に投与される放射線及び／又は少なくとも１つの化学療法剤の毒性を低減するための医薬。
【請求項２０】
ＣＯＮＰの有効な用量を含む、がんを効果的に治療するのに必要な放射線及び／又は少なくとも１つの化学療法剤の用量を低減させるための医薬。
【請求項２１】
ＣＯＮＰの有効用量並びに放射線及び／又は少なくとも１つの化学療法剤の用量が、組み合わせて投与される、がんを効果的に治療するのに必要な放射線及び／又は少なくとも１つの化学療法剤の用量を低減させるための医薬。
【請求項２２】
ＣＯＮＰの有効な用量を含む、放射線及び少なくとも１つの化学療法剤の治療的に有効な用量と組み合わせて、がんを効果的に治療するのに必要な放射線及び／又は最後の１つの化学療法剤の用量の効果を増大させるための医薬。
【請求項２３】
ＣＯＮＰの有効な用量並びに放射線及び少なくとも１つの化学療法剤の用量が、組み合わせて投与される、がんを効果的に治療するのに必要な放射線及び／又は最後の１つの化学療法剤の用量の効果を増大させるための医薬。
【請求項２４】
がんの治療のために放射線及び化学療法剤の治療的に有効な用量を投与されている患者におけるがんの治療のための、ＣＯＮＰの有効量を含む組成物。
【手続補正書】
【提出日】平成30年6月27日(2018.6.27)
【手続補正１】
【補正対象書類名】特許請求の範囲
【補正対象項目名】全文
【補正方法】変更
【補正の内容】
【特許請求の範囲】
【請求項１】
患者（ｓｕｂｊｅｃｔ）において、細菌（ｂａｃｔｅｒｉａ）で誘導された（ｉｎｄｕｃｅｄ）炎症の、治療または阻止において使用する、細菌のＨｔｒＡポリペプチド、または、少なくとも、１０個のアミノ酸のそのフラグメント、および／または、細菌のＨｔｒＡに結合する抗体。
【請求項２】
前記炎症が、ヘリコバクター・ピロリ菌により誘導され、そして、前記ＨｔｒＡポリペプチドが、ヘリコバクター・ピロリ菌のＨｔｒＡポリペプチドまたは、少なくとも、１０個のアミノ酸のそのフラグメントである、請求項１に記載した、細菌のＨｔｒＡポリペプチドまたは、少なくとも１０個のアミノ酸のそのフラグメント、および／または、細菌のＨｔｒＡに結合する抗体。
【請求項３】
前記ＨｔｒＡポリペプチドまたは、少なくとも、１０個のアミノ酸のそのフラグメントが、配列番号１乃至６のいずれか１つ、または、少なくとも、１０個のアミノ酸のそのフラグメントに、少なくとも、９５％の同一性のあるアミノ酸配列を含む、請求項２に記載した、細菌のＨｔｒＡポリペプチドまたは、少なくとも１０個のアミノ酸のそのフラグメント、および／または、細菌のＨｔｒＡに結合する抗体。
【請求項４】
前記細菌により誘導された炎症が、胃炎（ｇａｓｔｒｉｔｉｓ）および／または十二指腸炎（ｄｕｏｄｅｎｉｔｉｓ）である、請求項１乃至３のいずれか１項に記載した、細菌のＨｔｒＡポリペプチドまたは、少なくとも１０個のアミノ酸のそのフラグメント、および／または、細菌のＨｔｒＡに結合する抗体。
【請求項５】
患者における、細菌で誘導される炎症の治療または阻止において使用する、細菌のＨｔｒＡポリペプチド、または、少なくとも、１０個のアミノ酸のそのフラグメント、および／または、細菌のＨｔｒＡに結合する抗体を含む、免疫原性組成物（ｉｍｍｕｎｏｇｅｎｉｃ  ｃｏｍｐｏｓｉｔｉｏｎ）。
【請求項６】
細菌のＨｔｒＡポリペプチド、または、少なくとも、１０個のアミノ酸のそのフラグメントを含む、免疫原性組成物。
【請求項７】
薬学的に許容される賦形剤および／またはアジュバントを含む、請求項５または６の免疫原性組成物。
【請求項８】
ワクチン、および／または治療用ワクチンである、請求項５乃至７のいずれか１項に記載の免疫原性組成物。
【請求項９】
細菌のＨｔｒＡポリペプチドに結合する抗体を含む、医薬組成物。
【請求項１０】
請求項９の医薬組成物であって、前記抗体は、ヘリコバクター・ピロリ菌のＨｔｒＡポリペプチドに結合し、および／または、前記抗体はモノクローナル抗体、キメラ抗体、ヒト化抗体、ヒト抗体、Ｆａｂ、Ｆ（ａｂ’）2、またはｓｃＦｖである、医薬組成物。
【請求項１１】
請求項６乃至８のいずれか１項に記載の免疫原性組成物であって、前記細菌により誘導される炎症が、ヘリコバクター・ピロリ菌で誘導された炎症、および／または、胃炎および／または十二指腸炎である、免疫原性組成物。
【請求項１２】
免疫原性組成物を製造する方法であって、前記方法が、ＨｔｒＡポリペプチドまたは、少なくとも、１０個のアミノ酸のそのフラグメントと、薬学的に許容される賦形剤および／またはアジュバントと混合することを含む、方法。
【請求項１３】
前記免疫原性組成物が、ワクチンおよび／または治療用ワクチンである、請求項１２の方法。
【請求項１４】
患者の、ヘリコバクター・ピロリ菌の感染によって引き起こされる疾患の、治療または阻止において、使用する、ＨｔｒＡポリペプチドまたは、少なくとも、１０個のアミノ酸のそのフラグメント。
【請求項１５】
請求項１４に規定された、前記ＨｔｒＡポリペプチドまたは、少なくとも、１０個のアミノ酸のそのフラグメントであって、前記ＨｔｒＡポリペプチドは、配列番号１乃至６のいずれか１つ、または、少なくとも、１０個のアミノ酸のそのフラグメントと、少なくとも、９５％の同一性のある、アミノ酸配列を含み、および／または、前記免疫原性組成物が、薬学的に許容される賦形剤および／またはアジュバントを含む。
【誤訳訂正書】
【提出日】平成30年11月7日(2018.11.7)
【誤訳訂正１】
【訂正対象書類名】特許請求の範囲
【訂正対象項目名】全文
【訂正方法】変更
【訂正の内容】
【特許請求の範囲】
【請求項１】
Ｎα−スクシンアミド酸−Ａｌａ−Ａｌａ−Ａｓｎ−ＰＡＢＣ−マイトマイシンであるペプチド−薬物複合体、またはその薬学的に許容される塩であって、該ＰＡＢＣが、式：
【化１】
2017521486.tif 000001
で示されるリンカーであり、該マイトマイシンのアジリジン窒素が該ＰＡＢＣのカルボニルと結合しており、該Ａｓｎの末端カルボン酸が該ＰＡＢＣのアミノ基とアミド結合を形成している、ペプチド−薬物複合体またはその薬学的に許容される塩。
【請求項２】
請求項１に記載のペプチド−薬物複合体またはその薬学的に許容される塩と、少なくとも１つの薬学的に許容される担体とを含む、医薬組成物。
【請求項３】
１つまたは複数の個々の投与量として包装された、請求項２に記載の医薬組成物。
【請求項４】
哺乳動物における癌の治療に用いるための医薬組成物であって、請求項１に記載のペプチド−薬物複合体またはその薬学的に許容される塩を含む、医薬組成物。
【請求項５】
哺乳動物における癌の治療に用いるための、請求項２または３に記載の医薬組成物。
【請求項６】
該癌が固形腫瘍である、請求項４または５に記載の医薬組成物。
【請求項７】
該癌が、結腸癌、膀胱癌、乳癌、子宮頸癌、卵巣癌、胃癌、膵臓癌、肺癌、肝臓癌、食道癌、大腸癌、皮膚癌、または前立腺癌である、請求項４または５に記載の医薬組成物。
【請求項８】
ペプチド−薬物複合体が他の化学療法剤と併用される、請求項４〜７のいずれか１項に記載の医薬組成物。
【請求項９】
ペプチド−薬物複合体が放射線療法と併用される、請求項４〜７のいずれか１項に記載の医薬組成物。
【請求項１０】
癌治療薬の調製のための、請求項１に記載のペプチド−薬物複合体またはその薬学的に許容される塩の使用。
【請求項１１】
該癌が固形腫瘍である、請求項１０に記載の使用。
【請求項１２】
該癌が、結腸癌、膀胱癌、乳癌、子宮頸癌、卵巣癌、胃癌、膵臓癌、肺癌、肝臓癌、食道癌、大腸癌、皮膚癌、または前立腺癌である、請求項１０に記載の使用。
【誤訳訂正２】
【訂正対象書類名】明細書
【訂正対象項目名】０００１
【訂正方法】変更
【訂正の内容】
【０００１】
本発明は、腫瘍特異的ペプチド−薬物複合体及びこの複合体を含む医薬組成物に関する。本発明はさらに、このような複合体及び組成物の、哺乳動物、特にヒトの癌の治療のための抗腫瘍薬としての使用に関する。
【誤訳訂正３】
【訂正対象書類名】明細書
【訂正対象項目名】００４３
【訂正方法】変更
【訂正の内容】
【００４３】
本発明の複合体、組成物、及び方法は、膀胱癌、乳癌、子宮頸癌、卵巣癌、胃癌、膵臓癌、肺癌、肝臓癌、食道癌、大腸癌、皮膚癌、及び前立腺癌が含まれるが、これらに限定されない、様々なタイプの癌を治療するために使用されてもよい。
【手続補正書】
【提出日】平成30年7月19日(2018.7.19)
【手続補正１】
【補正対象書類名】明細書
【補正対象項目名】０００９
【補正方法】変更
【補正の内容】
【０００９】
【図１】図1:  自然の日光の条件下での、ビタミンD3形成に対する有効照射量と紅斑形成に対する有効照射量の比R=EpvD/Eer。
【図２】図2:  強力なUVA(A1.3)及び保護特性を最適化されたビタミンD3(A1.4)に関する4種のSPF6の日焼け止め(表1の組成物)のシミュレーションされたUV透過率のスペクトル。
【図３】図3:  強力なUVA(A2.3)及び保護特性を最適化されたビタミンD3(A2.4)に関する4種のSPF15の日焼け止め(表2の組成物)のシミュレーションされたUV透過率のスペクトル。
【図４】図4:  強力なUVA(A3.3)及び保護特性を最適化されたビタミンD(A3.4)に関する4種のSPF30の日焼け止め(表3の組成物)のシミュレーションされたUV透過率のスペクトル。
【手続補正２】
【補正対象書類名】明細書
【補正対象項目名】０１２１
【補正方法】変更
【補正の内容】
【０１２１】
図2は、SPF6をもたらす4種の異なるタイプのUVフィルター組成物に関する日焼け止めフィルムの分光透過率を示す。
【手続補正３】
【補正対象書類名】明細書
【補正対象項目名】０１２４
【補正方法】変更
【補正の内容】
【０１２４】
図3において、SPF15をもたらす4種の異なるタイプのUVフィルター組成物に関する日焼け止めフィルムのシミュレーションされた分光透過率が示されている。
【手続補正４】
【補正対象書類名】明細書
【補正対象項目名】０１２７
【補正方法】変更
【補正の内容】
【０１２７】
図4は、SPF30をもたらす4種の異なるタイプのUVフィルター組成物に関する日焼け止めフィルムのシミュレーションされた分光透過率を示す。
【手続補正５】
【補正対象書類名】図面
【補正対象項目名】全図
【補正方法】変更
【補正の内容】
【図１】
2017521463.tif 000001
【図２】
2017521463.tif 000002
【図３】
2017521463.tif 000003
【図４】
2017521463.tif 000004
【手続補正書】
【提出日】平成29年12月13日(2017.12.13)
【手続補正１】
【補正対象書類名】明細書
【補正対象項目名】００１４
【補正方法】変更
【補正の内容】
【００１４】
対象において糖尿病の１つまたは複数の症状を治療または緩和するための、ＦＫＢＰ１１ペプチドまたはＦＫＢＰ１１ペプチドを含む融合タンパク質を含有するキットも提供される。ＦＫＢＰ１１ペプチドを１つの容器に保存し、賦形剤を第２の容器に保存することができる。投与の直前に、両方の容器の内容が混合される。一実施形態では、キットは、キャップの中に、凍結乾燥されたＦＫＢＰ１１ペプチドまたはＦＫＢＰ１１ペプチドを含む融合タンパク質を含有するバイアルを含有することができ、ここでキャップは、バイアル中の賦形剤溶液とインスリンが混合されるようにキャップの回転によって破ることができるシールによって分離されている。
本発明の実施形態において、例えば以下の項目が提供される。
（項目１）
ＦＫＢＰ１１ペプチドのレベルを対象において増加させるための組成物であって、該組成物は、ＦＫＢＰ１１ペプチドまたはＦＫＢＰ１１ペプチドをコードする核酸を含み、前記ＦＫＢＰ１１ペプチドは、ＦＫＢＰ１１ポリペプチド、その変異体もしくは断片、またはＦＫＢＰ１１ポリペプチド、その変異体もしくは断片を含有する融合タンパク質からなる群から選択される、組成物。
（項目２）
乾燥粉末、錠剤、ウエハー、フィルム、ロゼンジおよびカプセルからなる群から選択される形態である、項目１に記載の組成物。
（項目３）
非経口投与に適した形態である、項目１に記載の組成物。
（項目４）
前記ＦＫＢＰ１１ポリペプチドが配列番号１を含む、項目１に記載の組成物。
（項目５）
ベクター中に、ＦＫＢＰ１１ポリペプチド、その変異体または断片をコードする核酸を含む、項目１に記載の組成物。
（項目６）
前記ベクターが、バクテリオファージ、バキュロウイルス、タバコモザイクウイルス、ヘルペスウイルス、サイトメガロウイルス、レトロウイルス、ワクシニアウイルス、アデノウイルスおよびアデノ随伴ウイルスからなる群から選択される、項目５に記載の組成物。
（項目７）
前記ＦＫＢＰ１１ペプチドが前記対象において血糖レベルを低減する、項目１に記載の組成物。
（項目８）
ＦＫＢＰ１１ペプチドまたはペプチドをコードする核酸を含む組成物を投与する工程を含む、対象においてＦＫＢＰ１１ペプチドのレベルを増加させる方法であって、前記ＦＫＢＰ１１ペプチドは、ＦＫＢＰ１１ポリペプチド、その変異体もしくは断片、またはＦＫＢＰ１１ポリペプチド、その変異体もしくは断片を含有する融合タンパク質からなる群から選択される、方法。
（項目９）
前記対象が、Ｉ型糖尿病の対象、ＩＩ型糖尿病の対象、肥満の対象、妊娠期糖尿病患者およびインスリン耐性を示している対象からなる群から選択される、項目８に記載の方法。
（項目１０）
前記ＦＫＢＰ１１ペプチドが前記対象において血糖レベルを低減する、項目８に記載の方法。
（項目１１）
前記組成物が、乾燥粉末、錠剤、ウエハー、フィルム、ロゼンジおよびカプセルからなる群から選択される形態である、項目８に記載の方法。
（項目１２）
前記組成物が非経口投与される、項目８に記載の方法。
（項目１３）
ＦＫＢＰ１１ペプチドをコードする前記核酸が発現されるように１つまたは複数の細胞をｅｘ  ｖｉｖｏで形質転換する工程、および形質転換された前記細胞を前記対象に移入させる工程をさらに含む、項目８に記載の方法。
（項目１４）
前記細胞が、膵臓の細胞、島細胞および膵臓の前駆体細胞からなる群から選択される、項目１３に記載の方法。
（項目１５）
第１の保存容器および第２の保存容器を含むキットであって、前記第１の保存容器は、ＦＫＢＰ１１ペプチドまたはＦＫＢＰ１１ペプチドをコードする核酸を含有し、前記第２の保存容器は賦形剤を含み、ここで、前記ＦＫＢＰ１１ペプチドは、ＦＫＢＰ１１ポリペプチド、その変異体もしくは断片、またはＦＫＢＰ１１ポリペプチド、その変異体もしくは断片を含有する融合タンパク質からなる群から選択される、キット。
（項目１６）
前記第１の容器がキャップであり、前記第２の容器は、前記キャップが閉められているバイアルであり、ここで、２つの容器が障壁によって分離されている、項目１５に記載のキット。
【手続補正２】
【補正対象書類名】明細書
【補正対象項目名】００６８
【補正方法】変更
【補正の内容】
【００６８】
改変されたタンパク質の最も効率的な取り込みはＴＡＴ−ＰＴＤの突然変異誘発実験によって明らかにされ、１１個のアルギニンのストレッチが細胞間送達ビヒクルとして数桁より効率的であることが示された。したがって、ＰＴＤは、本明細書でポリアルギニンまたはポリＡＲＧと呼ぶ複数のアルギニン残基の配列を含むことができる。一部の実施形態では、アルギニン残基の配列は連続的である。一部の実施形態では、アルギニン残基の配列は非連続的である。ポリＡＲＧは、少なくとも７つのアルギニン残基、より好ましくは少なくとも８つのアルギニン残基、最も好ましくは少なくとも１１個のアルギニン残基を含むことができる。一部の実施形態では、ポリＡＲＧは、７〜１５個のアルギニン残基、より好ましくは８〜１５個のアルギニン残基を含む。一部の実施形態では、ポリＡＲＧは、７〜１５個、より好ましくは８〜１５個の連続したアルギニン残基を含む。ポリＡＲＧの例は、ＲＲＲＲＲＲＲ（配列番号１１）である。さらなる例示的ＰＴＤには、これらに限定されないが、以下のものが含まれる：
ＲＲＱＲＲＴＳＫＬＭ  ＫＲ（配列番号５）；
ＧＷＴＬＮＳＡＧＹＬ  ＬＧＫＩＮＬＫＡＬＡ  ＡＬＡＫＫＩＬ（配列番号６）；
ＷＥＡＫＬＡＫＡＬＡ  ＫＡＬＡＫＨＬＡＫＡ  ＬＡＫＡＬＫＣＥＡ（配列番号７）；および
【手続補正書】
【提出日】平成30年7月13日(2018.7.13)
【手続補正１】
【補正対象書類名】特許請求の範囲
【補正対象項目名】全文
【補正方法】変更
【補正の内容】
【特許請求の範囲】
【請求項１】
オレフィン供給物から汚染物質を除去するための方法であって、
ａ）前記オレフィン供給物を方向付けて前記オレフィン供給物から前記汚染物質を除去することができる第１の粒子吸着剤床と接触させ、前記供給物よりも少ない汚染物質を含有するオレフィン生成物を生成することと、
ｂ）前記第１の吸着剤床を加熱し、再生ガスを方向付けて前記第１の吸着剤床に通して、前記吸着剤から前記汚染物質を脱着させ、前記汚染物質を含有する再生ガス流出物を生成することと、
ｃ）前記再生ガス流出物を方向付けて第２の粒子吸着剤床に通し、それにより、前記再生ガス流出物から前記汚染物質を吸着して除去し、前記再生ガス流出物よりも低減されたレベルの汚染物質を有する再生ガス生成物を生成することと、を含む、前記方法。
【請求項２】
前記第１の粒子吸着剤床が、アルミナ、ゼオライト、アルミナ−ゼオライト複合体、またはアルカリ金属もしくはアルカリ土類金属の酸化物でドープされたアルミナ、ゼオライト、もしくはアルミナ−ゼオライト複合体を含む、請求項１に記載の方法。
【請求項３】
前記第１の吸着剤床が、ゼオライト３Ａ、４Ａ、５Ａ、１３Ｘ、もしくはＮａ  Ｙ、または前記ゼオライトとアルミナとの組み合わせを含む、請求項２に記載の方法。
【請求項４】
前記再生ガスが窒素または燃料ガスである、請求項１に記載の方法。
【請求項５】
前記汚染物質が有機酸素化物を含む、請求項１に記載の方法。
【請求項６】
前記汚染物質が無機または有機硫黄化合物を含む、請求項１に記載の方法。
【請求項７】
前記汚染物質が最大５００ｐｐｍの前記オレフィン供給物を含む、請求項１に記載の方法。
【請求項８】
前記第２の吸着剤床内の圧力を低減することによって前記第２の吸着剤床から前記汚染物質を脱着させ、前記汚染物質を含有する低圧廃ガスを形成することを含み、好ましくは、前記第２の吸着剤床がアルミナを含む、請求項１に記載の方法。
【請求項９】
前記汚染物質が、有機酸素化物、無機もしくは有機硫黄化合物、ＣＯ２、またはそれらの混合物を含む、請求項４に記載の方法。
【請求項１０】
前記第２の粒子吸着剤との接触前に、前記汚染物質を含有する前記再生ガス流出物が冷却され、好ましくは、前記冷却中に、水が前記再生ガス流出物から除去される、請求項１に記載の方法。
【請求項１１】
前記再生ガスを加熱し、前記再生ガスを通過させて前記第１の吸着剤床と接触させることによって、前記第１の吸着剤床が加熱され、好ましくは、前記再生ガスが約２００〜５００℃の温度に加熱される、請求項１に記載の方法。
【請求項１２】
前記第２の吸着剤床との接触前に、前記汚染物質を含有する前記再生ガス流出物が少なくとも５０ｐｓｉａの圧力に加圧される、請求項１に記載の方法。
【請求項１３】
前記第２の吸着床内の脱着圧力に対する吸着圧力の比率が少なくとも２．０である、請求項１に記載の方法。
【請求項１４】
前記再生ガス生成物の少なくとも一部を、吸着された汚染物質を含有する前記第１の吸着剤床に方向付けることを含み、好ましくは、前記再生ガスが窒素または燃料ガスである、請求項１に記載の方法。
【請求項１５】
前記オレフィン供給物流が、少なくとも約５０重量％のエチレン、プロピレン、ブチレン、またはそれらの混合物を含有し、好ましくは、前記オレフィン供給物流が、少なくとも９０重量％のエチレン、プロピレン、ブチレン、またはそれらの混合物を含む、請求項１に記載の方法。
【手続補正書】
【提出日】平成30年7月2日(2018.7.2)
【手続補正１】
【補正対象書類名】特許請求の範囲
【補正対象項目名】全文
【補正方法】変更
【補正の内容】
【特許請求の範囲】
【請求項１】
哺乳動物における免疫性を増進または増強するための医薬組成物であって、
前記哺乳動物におけるガレクチン−９活性を活性化または刺激して、それにより前記哺乳動物における免疫性を刺激または増強するガレクチン−９アゴニストを含む、医薬組成物。
【請求項２】
Ｔｈ１に仲介される免疫応答および免疫記憶の少なくとも一方を刺激し、または開始させ、あるいはその両方を行う、請求項１に記載の医薬組成物。
【請求項３】
前記ガレクチン−９アゴニストが、
（ｉ）多量体の可溶性ＰＤ−Ｌ２または１以上のその多量体で生物学的に活性なフラグメント；または、
（ｉｉ）ｉｎ  ｖｉｖｏでＰＤ−Ｌ２の多量体化を誘導するか、または多量体ＰＤ−Ｌ２を模倣する作用物質、
であり、多量体ＰＤ−Ｌ２が二量体ではない、請求項１または２に記載の医薬組成物。
【請求項４】
ｉｎ  ｖｉｖｏでＰＤ−Ｌ２の多量体化を誘導する前記作用物質が抗体である、請求項３に記載の医薬組成物。
【請求項５】
多量体ＰＤ−Ｌ２を模倣する前記作用物質がアプタマーである、請求項３に記載の医薬組成物。
【請求項６】
前記ガレクチン−９アゴニストが、ガレクチン−９に結合するアゴニスト抗体または抗体フラグメントである、請求項１〜４のいずれか一項に記載の医薬組成物。
【請求項７】
前記哺乳動物の疾患、障害、または状態を治療または予防するための、請求項１〜６のいずれか一項に記載の医薬組成物。
【請求項８】
哺乳動物における免疫性を抑制または妨害するための医薬組成物であって、
前記哺乳動物におけるガレクチン−９活性を少なくとも部分的に阻害または遮断して、それにより前記哺乳動物における免疫性を抑制または妨害するガレクチン−９インヒビターまたはアンタゴニストを含む、医薬組成物。
【請求項９】
前記ガレクチン−９インヒビターまたはアンタゴニストが、ＰＤ−Ｌ２とガレクチン−９との間の結合相互作用に干渉する、請求項８に記載の医薬組成物。
【請求項１０】
前記ガレクチン−９インヒビターまたはアンタゴニストがＰＤ−Ｌ２に結合して、それによりガレクチン−９との結合を阻害する、または、ＰＤ−Ｌ２の多量体化を妨害もしくは阻害する、請求項９に記載の医薬組成物。
【請求項１１】
前記ガレクチン−９インヒビターまたはアンタゴニストが、抗ＰＤ−Ｌ２抗体または抗体フラグメントである、請求項８〜１０のいずれか一項に記載の医薬組成物。
【請求項１２】
前記ガレクチン−９インヒビターまたはアンタゴニストが、可溶性ガレクチン−９もしくはその生物学的に活性なフラグメント、および、前記哺乳動物におけるガレクチン−９活性を阻害または遮断するＰＤ−Ｌ２の単量体または二量体形、の少なくとも一方を含む、請求項８〜１０のいずれか一項に記載の医薬組成物。
【請求項１３】
前記ガレクチン−９インヒビターまたはアンタゴニストが、ガレクチン−９に結合して、それにより前記哺乳動物におけるガレクチン−９活性を阻害または遮断する抗体または抗体フラグメントを含む、請求項８〜１０のいずれか一項に記載の医薬組成物。
【請求項１４】
前記哺乳動物の疾患、障害、または状態を治療または予防するための、請求項８〜１３のいずれか一項に記載の医薬組成物。
【請求項１５】
前記疾患、障害、または状態が癌であるか、または病原体によって引き起こされるか、あるいはその両方である、請求項７に記載の医薬組成物。
【請求項１６】
前記疾患、障害、または状態が、自己免疫疾患および炎症性疾患の少なくとも一方である、請求項１４に記載の医薬組成物。
【請求項１７】
ガレクチン−９アゴニスト、インヒビター、またはアンタゴニストを設計する、選別する、操作する、あるいは製造する方法であって、
（ｉ）候補分子が、ガレクチン−９活性を活性化または刺激し、かつそれにより哺乳動物における免疫性を刺激または増強することができるアゴニストであるかどうかを判定するステップ；または
（ｉｉ）候補分子が、ガレクチン−９活性を遮断または阻害し、かつそれにより哺乳動物における免疫性を少なくとも部分的に抑制または妨害することができるアンタゴニストまたはインヒビターであるかどうかを判定するステップ
を含む、方法。
【請求項１８】
ステップ（ｉ）において前記候補分子は、アゴニスト抗体または抗体フラグメントである、請求項１７に記載の方法。
【請求項１９】
ステップ（ｉｉ）において前記候補分子は、アンタゴニスト抗体または抗体フラグメントである、請求項１７に記載の方法。
【請求項２０】
前記哺乳動物がヒトである、請求項１〜１６のいずれか一項に記載の医薬組成物。
【請求項２１】
請求項１〜１６のいずれか一項に記載の医薬組成物の製造方法であって、
請求項１７〜１９のいずれか一項に記載の方法に従い、ガレクチン−９アゴニスト、アンタゴニストもしくはインヒビターを得るステップを含む、医薬組成物の製造方法。